(57)【要約】【課題】指針と文字板とのずれ量を縮小できる時計指針の取付構造を提供する。【解決手段】小判形の断面の指針取付部１８ａを有する指針軸１８と、指針取付部１８ａが挿通され、小判形の座側取付孔３１ａと、座側取付孔から偏心した位置に設けられた貫通孔３１ｂとを有する座３１と、指針取付部１８ａが挿通され、円形の指針側取付孔４ａと、貫通孔３１ｂと対向する位置に設けられた貫通孔４ｂとを有する指針４と、貫通孔３１ｂ及び貫通孔４ｂに挿通されて指針４を座に対して固定するボルト３２及びナット３３と、を備え、貫通孔４ｂは、ボルト３２の軸に対して隙間を有するクリアランスホールである。【選択図】図４
2006275874.tif 000002
【特許請求の範囲】
【請求項１】
非円形の断面の指針取付部を有する指針軸と、
前記指針取付部が挿通され、当該指針取付部に対する回転を抑止可能な形状の座側取付孔と、当該座側取付孔から偏心した位置に設けられた座側固定孔とを有する座と、
前記指針取付部が挿通され、当該指針取付部が回転可能な形状の指針側取付孔と、前記座側固定孔と対向する位置に設けられた指針側固定孔とを有する指針と、
前記座側固定孔及び前記指針側固定孔に挿通されて前記指針を前記座に対して固定する固定手段と、
を備え、
前記座側固定孔及び前記指針側固定孔のうち少なくともいずれか一方は、指針回転方向において前記固定手段に対して隙間を有するクリアランスホールである
時計指針の取付構造。
【請求項２】
回転中心を対称点とする点対称な非円形の断面の指針取付部を有する指針軸と、
前記指針取付部が挿通され、当該指針取付部に対する回転を抑止可能な形状の座側取付孔と、前記指針取付部の断面の一の対称軸上となる位置に設けられた第１の座側固定孔と、当該第１の座側固定孔と前記回転中心を挟んで対向し、前記一の対称軸から所定量ずれた位置であって、前記回転中心からの距離が前記第１の座側固定孔と同一となる位置に設けられ、前記第１の座側固定孔と同一径の第２の座側固定孔とを有する座と、
前記指針取付部が挿通され、当該指針取付部が回転可能な形状の指針側取付孔と、前記回転中心からの距離が前記第１及び第２の座側固定孔と同一となる位置に設けられ、前記第１及び第２の座側固定孔と同一径の第１の指針側固定孔とを有する指針と、
前記第１の座側固定孔及び前記第１の指針側固定孔、又は、前記第２の座側固定孔及び前記第１の指針側固定孔に挿通されて前記指針の前記座に対する指針回転方向の位置を固定する第１の固定手段と、
を備えた時計指針の取付構造。
【請求項３】
前記指針の前記座に対する指針回転方向の位置を固定する第２の固定手段を更に備え、
前記指針は、前記回転中心を挟んで前記第１の指針側固定孔と対向し、前記回転中心と前記第１の指針側固定孔とを通る第１の直線上であって、前記回転中心からの距離が前記第１の指針側固定孔と同一の位置に設けられ、指針回転方向において前記第１の直線から一方側へ前記所定量だけずれた位置と、他方側へ前記所定量だけずれた位置とに亘って延びる第２の指針側固定孔を更に有し、
前記第２の固定手段は、前記第１の固定手段が前記第１の座側固定孔及び前記第１の指針側固定孔に挿通されている場合は、前記第２の座側固定孔及び前記第２の指針側固定孔に挿通され、前記第１の固定手段が前記第２の座側固定孔及び前記第１の指針側固定孔に挿通されている場合は、前記第１の座側固定孔及び前記第２の指針側固定孔に挿通されている
請求項２に記載の時計指針の取付構造。
【請求項４】
前記指針の前記座に対する指針回転方向の位置を固定する第３の固定手段を更に備え、
前記座は、前記一の対称軸に直交する他の対称軸上に設けられ、前記第１及び第２の座側固定孔と同一径の第３の座側固定孔を更に有し、
前記指針は、前記第１の直線に直交する第２の直線上であって前記回転中心からの距離が前記第３の座側固定孔と同一の位置に設けられ、前記指針回転方向において前記第２の直線から一方側へ前記所定量だけずれた位置と、他方側へ前記所定量だけずれた位置とに亘って延びる第３の指針側固定孔を更に有し、
前記第３の固定手段は、前記第３の座側固定孔及び前記第３の指針側固定孔に挿通されている
請求項３に記載の時計指針の取付構造。
【請求項５】
前記所定量は、前記指針軸の最大ずれ量の１／２である
請求項２〜４のいずれか１項に記載の時計指針の取付構造。
【請求項６】
前記座には、前記一の対称軸の位置を示すマーキング部が設けられている
請求項２〜５のいずれか１項に記載の時計指針の取付構造。
【請求項７】
回転中心を通る直線を対称軸とする線対称な非円形の断面の指針取付部を有する指針軸と、
前記指針取付部が挿通され、当該指針取付部に対する回転を抑止可能な形状の座側取付孔と、前記対称軸からずれた位置に設けられた座側固定孔とを有する座と、
前記指針取付部が挿通され、当該指針取付部が回転可能な形状の指針側取付孔と、前記回転中心からの距離が前記座側固定孔と同一の位置に設けられ、前記座側固定孔と同一径の指針側固定孔とを有する指針と、
前記座側固定孔及び前記指針側固定孔に挿通されて前記指針の前記座に対する指針回転方向の位置を固定する固定手段と、
を備えた時計指針の取付構造。
【請求項８】
前記指針の前記座側には、前記座が嵌合する凹部が設けられている
請求項１〜７のいずれか１項に記載の時計指針の取付構造。
【発明の詳細な説明】
【技術分野】
【０００１】
本発明は、時計指針の取付構造に関する。
【背景技術】
【０００２】
指針の取付精度を向上させる技術として、例えば特許文献１記載の技術がある。特許文献１の指針の取付構造では、指針軸の断面形状及び指針軸が嵌入される指針の孔部をそれぞれ互いに嵌合する凹部及び凸部を有するものとすることにより、指針が指針軸に対して位置決めされるようにしている。
【特許文献１】特開平９−１１３６４１号公報
【発明の開示】
【発明が解決しようとする課題】
【０００３】
しかし、指針と指針を回転させる機構との位置ずれを縮小するだけでは、指針と文字板との位置ずれを縮小できない場合がある。例えば、指針を回転させる機構と、文字板が装着される外装との間に取付誤差が生じた場合である。その他、指針と文字板との位置ずれは、バックラッシ、歯車列の取付精度、軸成形精度等によっても生じ得る。
【０００４】
本発明は、指針と文字板とのずれ量を縮小できる時計指針の取付構造を提供することにある。
【課題を解決するための手段】
【０００５】
本発明の第１の観点の時計指針の取付構造は、非円形の断面の指針取付部を有する指針軸と、前記指針取付部が挿通され、当該指針取付部に対する回転を抑止可能な形状の座側取付孔と、当該座側取付孔から偏心した位置に設けられた座側固定孔とを有する座と、前記指針取付部が挿通され、当該指針取付部が回転可能な形状の指針側取付孔と、前記座側固定孔と対向する位置に設けられた指針側固定孔とを有する指針と、前記座側固定孔及び前記指針側固定孔に挿通されて前記指針を前記座に対して固定する固定手段と、を備え、前記座側固定孔及び前記指針側固定孔のうち少なくともいずれか一方は、指針回転方向において前記固定手段に対して隙間を有するクリアランスホールである。
【０００６】
本発明の第１の観点の時計指針の取付構造は、回転中心を対称点とする点対称な非円形の断面の指針取付部を有する指針軸と、前記指針取付部が挿通され、当該指針取付部に対する回転を抑止可能な形状の座側取付孔と、前記指針取付部の断面の一の対称軸上となる位置に設けられた第１の座側固定孔と、当該第１の座側固定孔と前記回転中心を挟んで対向し、前記一の対称軸から所定量ずれた位置であって、前記回転中心からの距離が前記第１の座側固定孔と同一となる位置に設けられ、前記第１の座側固定孔と同一径の第２の座側固定孔とを有する座と、前記指針取付部が挿通され、当該指針取付部が回転可能な形状の指針側取付孔と、前記回転中心からの距離が前記第１及び第２の座側固定孔と同一となる位置に設けられ、前記第１及び第２の座側固定孔と同一径の第１の指針側固定孔とを有する指針と、前記第１の座側固定孔及び前記第１の指針側固定孔、又は、前記第２の座側固定孔及び前記第１の指針側固定孔に挿通されて前記指針の前記座に対する指針回転方向の位置を固定する第１の固定手段と、を備える。
【０００７】
好適には、前記指針の前記座に対する指針回転方向の位置を固定する第２の固定手段を更に備え、前記指針は、前記回転中心を挟んで前記第１の指針側固定孔と対向し、前記回転中心と前記第１の指針側固定孔とを通る第１の直線上であって、前記回転中心からの距離が前記第１の指針側固定孔と同一の位置に設けられ、指針回転方向において前記第１の直線から一方側へ前記所定量だけずれた位置と、他方側へ前記所定量だけずれた位置とに亘って延びる第２の指針側固定孔を更に有し、前記第２の固定手段は、前記第１の固定手段が前記第１の座側固定孔及び前記第１の指針側固定孔に挿通されている場合は、前記第２の座側固定孔及び前記第２の指針側固定孔に挿通され、前記第１の固定手段が前記第２の座側固定孔及び前記第１の指針側固定孔に挿通されている場合は、前記第１の座側固定孔及び前記第２の指針側固定孔に挿通されている。
【０００８】
好適には、前記指針の前記座に対する指針回転方向の位置を固定する第３の固定手段を更に備え、前記座は、前記一の対称軸に直交する他の対称軸上に設けられ、前記第１及び第２の座側固定孔と同一径の第３の座側固定孔を更に有し、前記指針は、前記第１の直線に直交する第２の直線上であって前記回転中心からの距離が前記第３の座側固定孔と同一の位置に設けられ、前記指針回転方向において前記第２の直線から一方側へ前記所定量だけずれた位置と、他方側へ前記所定量だけずれた位置とに亘って延びる第３の指針側固定孔を更に有し、前記第３の固定手段は、前記第３の座側固定孔及び前記第３の指針側固定孔に挿通されている。
【０００９】
好適には、前記所定量は、前記指針軸の最大ずれ量の１／２である。
【００１０】
好適には、前記座には、前記一の対称軸の位置を示すマーキング部が設けられている。
【００１１】
本発明の第３の観点の時計装置の取付構造は、回転中心を通る直線を対称軸とする線対称な非円形の断面の指針取付部を有する指針軸と、前記指針取付部が挿通され、当該指針取付部に対する回転を抑止可能な形状の座側取付孔と、前記対称軸からずれた位置に設けられた座側固定孔とを有する座と、前記指針取付部が挿通され、当該指針取付部が回転可能な形状の指針側取付孔と、前記回転中心からの距離が前記座側固定孔と同一の位置に設けられ、前記座側固定孔と同一径の指針側固定孔とを有する指針と、前記座側固定孔及び前記指針側固定孔に挿通されて前記指針の前記座に対する指針回転方向の位置を固定する固定手段と、を備える。
【００１２】
好適には、前記指針の前記座側には、前記座が嵌合する凹部が設けられている。
【発明の効果】
【００１３】
本発明の時計指針の取付構造によれば、指針と文字板とのずれ量を縮小できる。
【発明を実施するための最良の形態】
【００１４】
第１の実施形態
図１は本発明の第１の実施形態に係る時計装置１の外観を示す正面図である。時計装置１は、筐体２と、文字板３と、指針としての分針４Ｍ及び時針４Ｈとを備えている。
【００１５】
なお、以下では、分針に係る構成にはＭを、時針に係る構成にはＨを付し、特に両者を区別する必要の無い場合には、Ｍ又はＨを省略して、例えば単に指針４ということがある。
【００１６】
時計装置１は屋外などに設置される比較的大きな時計装置として構成され、例えば、指針４の長さは５０ｃｍ〜１ｍである。文字板３には、指針４の示す時刻を読み取るための指標が指針の回転方向に沿って配列されており、例えば、時間目盛５ａ、分目盛５ｂが設けられている。
【００１７】
図２は、時計装置１の断面図である。時計装置１は、分針４Ｍを駆動するための分針用ムーブメント１１Ｍと、時針４Ｈを駆動するための時針用ムーブメント１１Ｈとを備えている。従って、比較的大きな指針であっても、汎用のムーブメントにより指針の駆動が可能である。なお、分針用ムーブメント１１Ｍ及び時針用ムーブメント１１Ｈは、不図示の駆動源、発信手段、分針車、時針車等、汎用のムーブメントが通常備えている手段を備えている。
【００１８】
分針用ムーブメント１１Ｍ及び時針用ムーブメント１１Ｈは、いずれも電波修正時計用のムーブメントである。すなわち、分針用ムーブメント１１Ｍ及び時針用ムーブメント１１Ｈは、いずれも不図示であるが、時刻コードを含む電波信号を受信する受信手段と、ムーブメント内の歯車列の回転位置を検出する位置検出手段と、受信手段の受信した電波信号及び位置検出手段により検出された回転位置に基づいて指針の回転位置を修正する制御手段とを備えている。これにより、時計装置１は電波修正時計として機能し、また、分針用ムーブメント１１Ｍと時針用ムーブメント１１Ｈとの同期をとることなく、分針４Ｍと時針４Ｈとは互いに適切な相対位置を維持する。
【００１９】
分針用ムーブメント１１Ｍの駆動力は分針用輪列１２Ｍにより分針４Ｍに伝達される。分針用輪列１２Ｍには、分針用ムーブメント１１の分針車（不図示）に対して固定的に設けられ、当該分針車と一体的に回転する駆動伝え歯車１３Ｍと、駆動伝え歯車１３Ｍに噛合する伝え歯車１４Ｍと、伝え歯車１４Ｍと一体的に回転する分伝えカナ１５Ｍと、分伝えカナ１５Ｍと噛合する分針車１６Ｍとを備えている。
【００２０】
時針用ムーブメント１１Ｈの駆動力は時針用輪列１２Ｈにより時針４Ｈに伝達される。時針用輪列１２Ｈは、時針用ムーブメント１１Ｈの分針車（不図示）に対して固定的に設けられ、当該分針車と一体的に回転する駆動伝え歯車１３Ｈと、駆動伝え歯車１３Ｈに噛合する伝え歯車１４Ｈと、伝え歯車１４Ｈと一体的に回転する時伝えカナ１５Ｈと、時伝えカナ１５Ｈと噛合する時針車１６Ｈとを備えている。
【００２１】
なお、分針用輪列１２Ｍ及び時針用輪列１２Ｈには互いに同一の歯車が用いられている。すなわち、駆動伝え歯車１３Ｍ、伝え歯車１４Ｍ、分伝えカナ１５Ｍ及び分針車１６Ｍは、駆動伝え歯車１３Ｈ、伝え歯車１４Ｈと、時伝えカナ１５Ｈ及び時針車１６Ｈとそれぞれ同一の歯車である。そして、分針用ムーブメント１１Ｍを時針用ムーブメント１１Ｈの１２倍速で駆動している。
【００２２】
分針車１６Ｍの回転は、分針車１６Ｍの回転中心及び分針４Ｍの回転中心に固定された指針軸としての分針軸１８Ｍにより、分針４Ｍに伝達される。また、時針車１６Ｈの回転は、時針車１６Ｈの回転中心及び時針４Ｈの回転中心に固定された指針軸としての時針軸１８Ｈにより、時針４Ｈに伝達される。なお、時針軸１８Ｈはパイプ状に形成され、分針軸１８Ｍは、時針軸１８Ｈの回転中心に圧入されている。
【００２３】
図３は、分針４Ｍ及び時針４Ｈの取付構造を示す断面図である。時針軸１８Ｈには、座３１Ｈ、ボルト３２Ｈ、ナット３３Ｈ及び抜け止め部材３４Ｈを介して時針４Ｈが取り付けられている。また、分針軸１８Ｍには、座３１Ｍ、ボルト３２Ｍ、ナット３３Ｍ及び抜け止め部材３４Ｍを介して分針４Ｍが取り付けられている。具体的には以下の通りである。
【００２４】
図４は、指針４の取付構造の分解斜視図である。なお、分針４Ｍの取付構造と時針４Ｈの取付構造とは、時針軸１８Ｈ及び抜け止め部材３４Ｈに分針軸１８Ｍが挿入されていることを除いて同様であることから、図４では両者を区別せずに説明する。
【００２５】
指針軸１８は、座３１及び指針４が取り付けられる指針取付部１８ａを有している。指針１８ａの断面形状は、指針軸１８の回転中心を対称点とする点対称な非円形に形成されており、例えば、円形の一部と、当該一部と対向する一部を切除した小判形状に形成されている。また、指針軸１８は、指針取付部１８ａよりも先端側に、抜け止め部材３４が固定される雄ねじ部１８ｂを有している。
【００２６】
座３１は円盤状に形成されている。ただし、座３１の平面形状、断面形状は適宜な形状としてよい。座３１は、指針取付部１８ａが圧入される取付孔３１ａを有している。取付孔３１ａは指針取付部１８ａと嵌合する形状、すなわち小判形状に形成されており、座３１は、取付孔３１ａに挿通された指針取付部１８ａに対して回転不可能である。また、座３１は、ボルト３２を挿通するための貫通孔（固定孔）３１ｂを取付孔３１ａから偏心した位置に有している。貫通孔３１ｂの数は、１以上の範囲で適宜に設定してよいが、例えば取付孔３１ａを挟んで２個設けられている。
【００２７】
指針４は、指針取付部１８ａが挿入される取付孔４ａを有している。取付孔４ａは円形に形成され、指針取付部１８ａの円形部分が嵌合する。従って、指針４は、取付孔４ａに挿入された指針取付部１８ａに対して回転可能である。指針４は、ボルト３２を挿通するための貫通孔４ｂを有している。貫通孔４ｂは、貫通孔３１ｂに対向するように設けられている。すなわち、指針４の取付孔４ａ及び座３１の取付孔３１ａに指針軸１８が挿入されたときに、指針軸１８の回転中心を中心として座３１の貫通孔３１ｂと同一円周上（等距離）となる位置に設けられている。また、貫通孔４ｂは貫通孔３１ｂよりも径が大きい。指針４の背面側（図４の紙面奥手方向）には座３１が嵌合する凹部４ｃ（図３参照）が設けられている。凹部４ｃは、例えば、平面形状（座３１から見た形状）が円形で、凹部４ｃの深さは座３１の厚さと同一である。
【００２８】
ボルト３２は、ボルト頭の径が指針４の貫通孔４ｂよりも大きく、軸径が指針４の貫通孔４ｂよりも小さい。そして、貫通孔４ｂに挿通されたボルト３２と孔部４ｂとの間には隙間が生じる。すなわち、貫通孔４ｂはいわゆるクリアランスホール（ばか穴）である。ボルト３２は、指針４の貫通孔４ｂ及び座３１の貫通孔３１ｂに挿通され、ナット３３と螺合されることにより、指針４と座３１とを固定する。
【００２９】
抜け止め部材３４は、雌ねじ部３４ａを有しており、座３１の取付孔３１ａ及び指針４の取付孔４ａに挿通された指針軸１８の雄ねじ部１８ｂと螺合されることにより、座３１及び指針４の指針軸１８からの抜けを防止する。なお、時針４Ｈの取付構造の抜け止め部材３４ａには、分針軸１８Ｍが挿通される孔部が設けられる。
【００３０】
なお、指針取付部１８ａ、座３１の取付孔３１ａの形状、座３１の貫通孔３１ｂ、指針４の貫通孔４ｂの位置は、例えば、指針軸１８が帰零位置（例えば１２時位置）にあるときに、指針４も帰零位置を指すように設定されている。指針軸１８は、例えばムーブメント１１の位置検出手段が帰零位置を検出したときに帰零位置に位置するように、指針軸１８及び輪列１２の組み付け時に設定される。
【００３１】
以上の構成を有する時計装置１における、指針４の取付作業の手順について説明する。まず、図２に示す構成において、上板７、中板８、下板９等に輪列１２、指針軸１８、文字板３等が取り付けられるとともに、指針軸１８に対して指針４、座３１（図４参照）が取り付けられ、ボルト３２及びナット３３により指針４と座３１とが仮締めされた状態にされる。
【００３２】
そして、この状態において、指針４の文字板３に対する位置確認が行われる。すなわち、指針４が文字板に対して帰零位置を指しているか否かを確認する。ずれている場合には、指針４を回転方向にずれ量だけ移動させる。この際、座３１は指針軸１８に対して回転不可能である一方、指針４は指針軸１８に対して回転可能であり、座３１とも仮締めされた状態であるから、指針４は座３１及び指針軸１８に対して回転する。調整後、ボルト３２及びナット３３を本締めする。
【００３３】
なお、ボルト３２の軸と貫通孔４ｂとの隙間は適宜に設定してよい。例えば、指針軸１８の想定されるずれ量が、帰零位置を中心として−θ〜θの範囲であり、指針軸１８の回転中心から貫通孔４ｂの中心位置までの長さがｘである場合、隙間を約２×ｘｔａｎθとしてよい。この場合、例えばθ＝４°、ｘ＝３ｃｍであれば、隙間は約４ｍｍである。
【００３４】
また、クリアランスホールであるか否かは種々の観点から判定可能である。例えば、ボルト３２や貫通孔４ｂの精度誤差よりも大きいか否か、ボルトの軸径に対する一般的な貫通孔の大きさよりも大きいか否か、隙間が指針を調整できる大きさであるか否か等により判定可能である。例えば、ボルトの精度誤差は一般に０．０５ｍｍ以下であるから、隙間が０．０５ｍｍ以下であればクリアランスホールではないと判定できる。また、例えば、指針軸１８の回転中心から貫通孔４ｂの中心位置までの長さｘが３ｃｍであると仮定すれば、０．６ｍｍ程度の隙間があれば、おおよそ−０．６°〜０．６°（０．６°は分目盛の間隔の１／１０）のずれを調整できるから（２×３ｃｍ×ｔａｎ（０．６°）＝０．６ｍｍ）、クリアランスホールであるということができる。座の貫通孔及び指針の貫通孔のいずれか一方が他方よりも大きいのであれば、当該一方はクリアランスホールであると特定できる。貫通孔が回転方向に長い長孔となっているのであれば、クリアランスホールであると特定できる。
【００３５】
以上の第１の実施形態によれば、指針軸１８に対して回転不可能な座３１に対して指針４をボルト３２及びナット３３により固定することとし、指針４の貫通孔４ｂをクリアランスホールとしていることから、指針４の位置を文字板３に対して調整してずれ量を縮小できる。従来は、指針と文字板とのずれが生じた場合、指針を取り付けた駆動ユニットごと文字板に対して回転させており、この方法では、分針と時針とが同時に回ってしまうため、一方の位置精度しか向上できなかったが、第１の実施形態によれば、分針と時針とを別個に調整できるという効果も生じる。さらに、指針４と座３１とがボルト３２及びナット３３により固定されているため、指針４を指針軸１８から取り外すときに座３１と固定したまま取り外せば、再度組み立てる際には指針を再度調整する必要がない。
【００３６】
指針４の凹部４ｃに座３１を収納しつつ指針４と座３１とを積層するようにしたことにより、指針軸に座を取り付けるために従来品よりも指針軸を長くする必要がなく、さらには指針４の文字板３（図１及び図２参照）等からの位置が従来品より高くなることもないことから、従来品に対して大きな設計変更をする必要が無い。また、指針４と座３１との取り付けの容易化も図られる。
【００３７】
なお、第１の実施形態において、貫通孔３１ｂをクリアランスホールとしてもよいし、貫通孔４ｂ及び３１ｂの双方をクリアランスホールとしてもよい。
【００３８】
第２の実施形態
第２の実施形態の時計装置の全体構成は、図１及び図２に示した第１の実施形態と同様である。なお、以下では第１の実施形態と同様の構成については、第１の実施形態と同様の符号を付して説明を省略する。
【００３９】
また、第２の実施形態の時計装置における指針の取付構造の断面図も図３と同様である。すなわち、指針軸に対して座及び指針が挿入されて、座及び指針がボルト及びナットにより固定され、抜け止め部材３４により指針及び座の抜けが防止される。指針軸及び抜け止め部材の構成は第１の実施形態と同様である。
【００４０】
ただし、第１の実施形態では、指針４を取り付ける際に、指針４を座３１に対して適宜な量だけ回転させて調整したのに対し、第２の実施形態では、予め推定したずれ量を縮小するようにしており、第１の実施形態とは、座や指針の貫通孔が設けられる位置などが相違する。具体的には以下の通りである。
【００４１】
図５（ａ）は、第２の実施形態の指針１０４を示す正面図、図５（ｂ）は、第２の実施形態の座１３１を示す正面図である。
【００４２】
座１３１は、取付孔１３１ａと、貫通孔１３１ｂ、１３１ｃ、１３１ｄ、１３１ｅと、マーキング部１３１ｆを有している。取付孔１３１ａは、第１の実施形態の座３１の取付孔３１ａと同様であり、回転中心ｏ１を対称点とする点対称な形状である。なお、点対称であれば線対称でもあることは明らかであり、取付孔１３１ａは、互いに直交する対称軸Ｌ１、Ｌ２に対して線対称な形状である。対称軸Ｌ１、Ｌ２はそれぞれ本発明の一の対称軸、他の対称軸の一例である。指針取付部１８ａ（図４参照）及び取付孔１３１ａは同一形状であるから、以下において、回転中心ｏ１を指針取付部１８ａの回転中心として、対称軸Ｌ１及びＬ２を指針取付部１８ａの対称軸として扱う場合がある。
【００４３】
貫通孔１３１ｂ〜１３１ｅは、回転中心ｏ１を中心とする同一円周上に設けられるとともに、互いに同一の径を有している。そして、貫通孔１３１ｃ〜１３１ｅは取付孔１３１ａの対称軸Ｌ１、Ｌ２上に設けられている一方で、貫通孔１３１ｂは、対称軸Ｌ１から所定のずれ量ε１だけずれた位置に設けられている。貫通孔１３１ｂの対称軸Ｌ１からのずれ量ε１は、例えば指針１０４の文字板３に対する最大ずれ量（帰零位置を中心として一方側への最大ずれ量）の１／２に設定される。例えば、最大ずれ量が４°（帰零位置を中心として−４°〜４°の範囲でずれ量が発生する）とすれば２°に設定される。なお、貫通孔１３１ｄは本発明の第１の座側固定孔の一例であり、貫通孔１３１ｂは第２の座側固定孔の一例であり、貫通孔１３１ｃ及び１３１ｅは第３の座側固定孔の一例である。
【００４４】
マーキング部１３１ｆは、対称軸Ｌ１からずれた貫通孔１３１ｂ側における、対称軸Ｌ１の位置を示すものである。マーキング部１３１ｆは、例えば座１３１の縁部を切り欠いて形成されている。なお、マーキング部１３１ｆは、例えばインクやレーザ光によってマーキングされたものでもよい。
【００４５】
指針１０４は、取付孔１０４ａと、貫通孔１０４ｂ、１０４ｃ、１０４ｄ、１０４ｅを有している。取付孔１０４ａは、第１の実施形態の指針４の取付孔１０４ａと同様である。
【００４６】
貫通孔１０４ｂ〜１０４ｅは、回転中心ｏ１を中心とする同一円周上に設けられている。貫通孔１０４ｂ〜１０４ｅは、回転中心ｏ１を通り互いに直交する直線Ｌ３、Ｌ４上に設けられている。直線Ｌ３及びＬ４は、例えば指針４の長手方向及び長手方向と直交する方向に延びる直線である。なお、直線Ｌ３、Ｌ４はそれぞれ本発明の第１の直線、第２の直線の一例である。指針１０４の先端側に設けられた貫通孔１０４ｂは、座１３１の貫通孔１３１ｂ〜１３１ｅと同一径である。一方、貫通孔１０４ｃ〜１０４ｅは、指針１０４の回転方向に長い長孔状に形成されている。長孔の短軸方向の径は貫通孔１０４ｂの径と同等である。長孔の長軸方向の径は、直線Ｌ３又はＬ４から一方側にずれ量ε１だけずれた位置と、他方側にずれ量ε１だけずれた位置とに亘って長孔が延びるように設定されている。すなわち、２×ε１に相当する長さだけ貫通孔１０４ｂの径よりも長い。なお、貫通孔１０４ｂは本発明の第１の指針側固定孔の一例であり、貫通孔１０４ｄは第２の指針側固定孔の一例であり、貫通孔１０４ｃ、１０４ｅは第３の指針側固定孔の一例である。
【００４７】
図６（ａ）〜図６（ｃ）は、座１３１及び指針１０４の取付パターンを示している。座１３１は、指針軸１８のずれ量に応じて、指針１０４に対して１８０°回転させたり、裏返しにして指針１０４に対して固定される。これらの図において、貫通孔１３１ｂ及びマーキング部１３１ｆの相対位置に着目すればわかるように、図６（ａ）を基準とすると、図６（ｂ）では直線Ｌ６を軸として座１３１を裏返しており、図６（ｃ）では直線Ｌ５を軸として座１３１を裏返しにしている。なお、直線Ｌ５は回転中心と帰零位置とを通る直線であり、直線Ｌ６は回転中心を通り直線Ｌ５に直交する直線である。図６（ａ）〜図６（ｃ）においては、帰零位置に指針１０４が一致した状態をしめしていることから、直線Ｌ５及びＬ６に対して、指針の長手方向及び長手方向に直交する方向の直線Ｌ３及びＬ４の符号もかっこ書きで付している。
【００４８】
図７は、図６（ａ）の座１３１の拡大図である。図７において、指針軸１８は文字板３（図１参照）の帰零位置を示す直線Ｌ５に対して遅れ方向にε１だけずれている。そこで、座１３１及び指針１０４を指針軸１８に取り付ける際に、指針１０４が指針軸１８に対してε１だけ進み方向にずれるように座１３１を配置する。
【００４９】
すなわち、対称軸Ｌ１（図５参照）からずらして設けられた貫通孔１３１ｂが、指針１０４の円形の貫通孔１０４ｂ側（指針１０４の先端側）に位置するとともに、対称軸Ｌ１の位置を示すマーキング部１３１ｆよりも進み方向に位置するように座１３１を配置し、貫通孔１３１ｂと貫通孔１０４ｂとを位置合わせする。これにより、指針１０４は指針軸１８よりも進み方向に位置し、指針１０４の長手方向を示す直線Ｌ３は帰零位置を示す直線Ｌ５に一致する。この際、座１３１の貫通孔１３１ｃ、１３１ｄ、１３１ｅは、それぞれ貫通孔１０４ｅ、１０４ｄ、１０４ｃの遅れ方向側の端部に一致する。そして各貫通孔に座１３１の円形の貫通孔の径と同等の軸径のボルトを挿通してナットに螺合することにより、指針１０４は帰零位置に位置合わせされた状態で固定される。
【００５０】
なお、図７では、指針軸１８の帰零位置に対する遅れ方向へのずれ量が、貫通孔１３１ｂの対称軸Ｌ１に対するずれ量ε１と同等である場合を示したが、指針軸１８の遅れ方向へのずれ量がε１の１／２以上である場合ならば、図７のように座１３１を指針１０４に対して配置することにより、指針１０４のずれ量を縮小できる。
【００５１】
図８は、図６（ｂ）の座１３１の拡大図である。図８において、指針軸１８は文字板３（図１参照）の帰零位置を示す直線Ｌ５に対して一致している。そこで、座１３１及び指針１０４を指針軸１８に取り付ける際に、指針１０４が指針軸１８に対して遅れ方向又は進み方向にずれないように座１３１を配置して、座１３１及び指針１０４を固定する。
【００５２】
すなわち、対称軸Ｌ１（図５参照）上に設けられた貫通孔１３１ｄが、指針１０４の円形の貫通孔１０４ｂ側（指針１０４の先端側）に位置するように座１３１を配置し、貫通孔１３１ｂと貫通孔１０４ｂとを位置合わせする。これにより、指針１０４は指針軸１８の対称軸Ｌ１と一致する。この際、座１３１の貫通孔１３１ｂは、指針１０４の貫通孔１０４ｄの端部に一致する。また、座１３１の貫通孔１３１ｃ、１３１ｅは、それぞれ貫通孔１０４ｅ、１０４ｃの中央に位置する。そして各貫通孔に座１３１の円形の貫通孔の径と同等の軸径のボルトを挿通してナットに螺合することにより、指針１０４は帰零位置に位置合わせされた状態で固定される。
【００５３】
なお、図８では、貫通孔１３１ｂがマーキング部１３１ｆよりも遅れ方向側に位置するように座１３１を配置した場合を例示しているが、図８の状態から直線Ｌ５を軸として座１３１を裏返しにし、貫通孔１３１ｂがマーキング部１３１ｆよりも進み方向側に位置するように座１３１を配置してもよい。
【００５４】
図９は、図６（ｃ）の座１３１の拡大図である。図９では、指針軸１８は文字板３（図１参照）の帰零位置を示す直線Ｌ５に対して進み方向にε１だけずれている。そこで、座１３１及び指針１０４を指針軸１８に取り付ける際に、指針１０４が指針軸１８に対してε１だけ遅れ方向にずれるように座１３１を配置して、座１３１及び指針１０４を固定する。
【００５５】
すなわち、対称軸Ｌ１（図５参照）からずらして設けられた貫通孔１３１ｂが、指針１０４の円形の貫通孔１０４ｂ側（指針１０４の先端側）に位置するとともに、対称軸Ｌ１の位置を示すマーキング部１３１ｆよりも遅れ方向に位置するように座１３１を配置し、貫通孔１３１ｂと貫通孔１０４ｂとを位置合わせする。これにより、指針１０４は指針軸１８よりも遅れ方向に位置し、指針１０４の長手方向を示す直線Ｌ３は帰零位置を示す直線Ｌ５に一致する。この際、座１３１の貫通孔１３１ｃ、１３１ｄ、１３１ｅは、それぞれ貫通孔１０４ｃ、１０４ｄ、１０４ｅの進み方向側の端部に一致する。そして各貫通孔に座１３１の円形の貫通孔の径と同等の軸径のボルトを挿通してナットに螺合することにより、指針１０４は帰零位置に位置合わせされた状態で固定される。
【００５６】
なお、図９では、指針軸１８の帰零位置に対する進み方向へのずれ量が、貫通孔１３１ｂの対称軸Ｌ１に対するずれ量ε１と同等である場合を示したが、指針軸１８の進み方向へのずれ量がε１の１／２以上である場合ならば、図９のように座１３１を指針１０４に対して配置することにより、指針１０４のずれ量を縮小できる。
【００５７】
以上の第２の実施形態によれば、座１３１において、対称軸Ｌ１上に貫通孔１３１ｄを、対称軸Ｌ１からε１だけずれた位置に貫通孔１３１ｂを設けるとともに、指針１０４において、貫通孔１３１ｄ及び貫通孔１３１ｂと同一円周上となる位置に貫通孔１０４ｂを設けたことから、座１３１の配置位置を、座１３１の一の配置位置と、当該一の配置位置から座１３１を１８０°回転させた配置位置、あるいは裏返した配置位置とから選択することにより、指針１０４の文字板３に対するずれ量を縮小できる。
【００５８】
また、座１３１において、対称軸Ｌ１に直交する対称軸Ｌ２上に貫通孔１３１ｃ、１３１ｅを設け、指針１０４において、貫通孔１３１ｃ及び１３１ｅと対向する貫通孔を設けていることから、座１３１及び指針１０４との固定を更に堅固に行うことができる。
【００５９】
さらに、指針１０４の貫通孔１０４ｃ、１０４ｄ、１０４ｅを、２×εに相当する長さだけ座１３１の貫通孔よりも長くしたことから、座１３１の配置位置によっては、座１３１の貫通孔が指針１０４の長孔の貫通孔の端部に一致し、これによっても座１３１と指針１０４とを位置決め可能である。
【００６０】
貫通孔１３１ｂの対称軸Ｌ１からのずれ量ε１を、指針軸１８の最大ずれ量の１／２としていることから、時計装置１の指針１０４の文字板３に対するずれ量がε１以下であることを保証できる。なお、最大ずれ量は、例えば、同一機種の複数の時計装置におけるずれ量を調査することにより統計的に求めることができる。あるいは、バックラッシに基づくずれ量、軸成形精度に基づくずれ量、歯車成形精度に基づくずれ量等を、計算又は統計的にそれぞれ特定し、それぞれのずれ量を加算することによって求めることができる。
【００６１】
対称軸Ｌ１の位置を示すマーキング部を設けていることから、座１３１の向きを確認することが容易である。
【００６２】
第３の実施形態
図１０は、第３の実施形態の時計装置の座２３１及び指針２０４を示している。第３の実施形態の時計装置は、第１及び第２の実施形態と同様の構成を有し、第２の実施形態と同様に指針２０４の文字板に対するずれ量に応じて座２３１の配置位置を変更するものである。
【００６３】
ただし、座２３１の指針軸が挿通される取付孔２３１ａの形状はＤ字状に形成されている。すなわち、取付孔２３１ａは、対称軸Ｌ９に対して線対称の形状ではあるが、点対称の形状ではない。なお、不図示の指針軸の指針取付部の断面形状は、取付孔２３１ａと嵌合するＤ字状である。座２３１は、対称軸Ｌ９からε１だけずれた位置に貫通孔２３１ｂを有している。
【００６４】
指針２０４は、指針軸が挿通される取付孔２０４ａと、回転中心ｏ２を通り、指針２０４の長手方向を示す直線上に配置された貫通孔２０４ｂを有している。貫通孔２０４ｂは、回転中心ｏ２を中心として貫通孔２３１ｂと同一円周上となる位置に設けられている。
【００６５】
座２３１は、図１０（ａ）に示す状態と、図１０（ａ）に示す状態から対称軸Ｌ９を軸として裏返した状態とのいずれかの状態で指針軸及び指針２０４に取り付けられる。これにより、第２の実施形態の図６（ａ）及び図６（ｃ）と同様に、指針２０４のずれ量を縮小できる。
【００６６】
本発明は以上の実施形態に限定されず、種々の態様で実施してよい。
【００６７】
指針軸の断面形状は小判形又はＤ字形に限定されない。例えば第１の実施形態では座の指針軸に対する回転が抑止されればよく、第２及び第３の実施形態では座の指針軸に対する回転が抑止され、かつ、座を裏返し等して取付可能となるように点対称又は線対称の形状であればよく、例えば矩形や６角形でもよい。ただし、指針が指針軸に対してより確実に固定されるように、小判型やＤ字形のように指針の取付孔に密着する円周面を有する形状が望ましい。なお、６角形のように対称軸が複数あれば、座の指針軸に対する配置パターンは増加する。
【００６８】
指針軸の指針取付部が挿入される座の取付孔は、指針取付部の断面形状と同一でなくてもよい。座の指針軸に対する回転を抑止できればよい。例えば、指針取付部が小判形であるのに対し、座の取付孔が長方形であってもよい。ただし、座が指針軸に対してより確実に固定されるように、座の取付孔は、指針取付部と同一形状であることが好ましい。
【００６９】
座及び指針の固定孔（貫通孔）は、それぞれ少なくとも一つ設けられていればよい。座及び指針は、取付孔に指針軸が挿入されることにより回転方向以外の位置決めがなされており、取付孔から偏心した位置で一箇所位置決めされれば、座と指針との位置決めはなされるからである。ただし、例えば、第２の実施形態の図６（ｂ）ように、直線Ｌ６を軸として座を裏返した状態（座を１８０°回転させた状態）においても使用可能とするためには、少なくとも２つの固定孔が座に必要であり、また、座と指針とをより確実に固定するためには固定孔が複数設けられていることが好ましい。
【００７０】
座及び指針の固定孔は、貫通孔に限定されず、固定手段もボルトとナットに限定されない。固定手段は、固定孔に挿通されて座及び指針の回転方向の位置さえ固定すればよい。なお、指針軸の軸方向の固定は、例えば、上述の実施形態のように、抜け止め部材により行えばよく、固定手段により行う必要は無い。ただし、ボルトとナットのようにねじ手段により固定するのであれば、例えば、第１の実施形態のように、指針と座とを共に指針軸から取り外し、そのまま再度組み付けることができる等の効果を奏する。
【図面の簡単な説明】
【００７１】
【図１】本発明の第１の実施形態の時計装置の外観を示す正面図。
【図２】図１の時計装置の内部構成を示す断面図。
【図３】図２の一部拡大図。
【図４】図１の時計装置の指針取付構造の分解斜視図。
【図５】本発明の第２の実施形態の時計装置の指針及び座を示す図。
【図６】図５の指針及び座の取付パターンを示す図。
【図７】図６の一部拡大図。
【図８】図６の一部拡大図。
【図９】図６の一部拡大図。
【図１０】本発明の第３の実施形態の時計装置の指針及び座を示す図。
【符号の説明】
【００７２】
１８…指針軸、１８ａ…指針取付部、３１…座、３１ａ…座側取付孔、３１ｂ…座側貫通孔、４…指針、４ａ…指針側取付孔、４ｂ…指針側貫通孔、３２、３３…固定手段。
【図１】
2006275874.tif 000003
【図２】
2006275874.tif 000004
【図３】
2006275874.tif 000005
【図４】
2006275874.tif 000006
【図５】
2006275874.tif 000007
【図６】
2006275874.tif 000008
【図７】
2006275874.tif 000009
【図８】
2006275874.tif 000010
【図９】
2006275874.tif 000011
【図１０】
2006275874.tif 000012